(57)【要約】【課題】通信状態が悪い期間中における通信装置の消費電力を低減する。【解決手段】通信装置１は、無線信号を送受信する無線通信回路２と、無線通信回路２へ電力を供給する電源６と、無線通信回路２へ電力が供給されていない状態で無線信号の受信強度を測定する受信強度測定回路４２と、受信強度測定回路４２が測定した受信強度が閾値を超える場合に、電源６から無線通信回路２への電力供給をオンにする電源制御回路４５を備える。【選択図】図１
2013197865.tif 000002
【特許請求の範囲】
【請求項１】
無線信号を送受信する無線通信回路と、
前記無線通信回路へ電力を供給する電源と、
前記無線通信回路へ電力が供給されていない状態で無線信号の受信強度を測定する受信強度測定回路と、
前記受信強度測定回路が測定した受信強度が閾値を超える場合に、前記電源から前記無線通信回路への電力供給をオンにする電源制御回路と、
を備えることを特徴とする通信装置。
【請求項２】
前記受信強度測定回路は、前記無線通信回路よりも消費電力が少ない回路であることを特徴とする請求項１に記載の通信装置。
【請求項３】
前記無線通信回路は、受信強度を測定する第２受信強度測定回路と、
第２受信強度測定回路が測定した受信強度が急激に低下した場合に、前記電源から前記無線通信回路への電力供給をオフにする第２電源制御回路と、
を備えることを特徴とする請求項１又は２のいずれか一項に記載の通信装置。
【請求項４】
前記第２電源制御回路は、前記無線通信回路への電力供給をオフにする場合に、前記受信強度測定回路への電力供給をオフからオンにすることを特徴とする請求項３に記載の通信装置。
【請求項５】
前記受信強度測定回路は、無線通信回路が無線周波数信号を送受信するためのアンテナ及びアンテナ共用器を介して無線信号を受信する請求項１〜４のいずれか一項に記載の通信装置。
【発明の詳細な説明】
【技術分野】
【０００１】
本明細書で論じられる実施態様は、通信装置の省電力化に関する。
【背景技術】
【０００２】
携帯電話の省電力化に関し、圏内から圏外へ移行したとき、移行時を含む所定時間内の受信電界強度の低下速度を調べるＣＤＭＡ（Code Division Multiple Access: 符号分割多元接続）携帯電話が知られている。ＣＤＭＡ携帯電話は、受信電界強度の低下速度が急激であれば、セル移動なしの圏内から圏外への移動と判断し、圏外期間中、セルサーチを中止する。
【０００３】
また、基地局からの無線信号を受信する受信部と、この受信部に受信された信号から特定のタイムスロットに同期して受信部の電源を開閉させる間欠受信用電源設定部とを備えた移動通信用の受信装置が知られている。この受信装置は、受信された信号の受信レベルを検出する手段と、この検出する手段で検出された受信レベルが所定値以下であるとき電源を第一の時間にわたり停止させる制御部とを備える。
【先行技術文献】
【特許文献】
【０００４】
【特許文献１】特開２００１−２８５１７８号公報
【特許文献２】特開平６−５３８８１号公報
【発明の概要】
【発明が解決しようとする課題】
【０００５】
通信装置は、受信電界強度の低下速度が急激な場合でセル移動なしの圏外期間中は、セルサーチを中止するが、受信信号強度が弱く通信状態が悪い間は、セルサーチを続け、一定の電力を消費する。このため、通信装置のバッテリーの充電がままならない状態が続くと、いざ通信状態が回復してもバッテリー切れのため通信装置が使用できないことがある。例えば、移動通信システムにおける移動局装置は、基地局装置との通信状態が悪い期間中もセルサーチなどの処理を行うため一定の電力を消費する。
【０００６】
開示の装置及び方法は、通信状態が悪い期間中における通信装置の消費電力の低減を目的とする。
【課題を解決するための手段】
【０００７】
装置の一観点によれば、無線信号を送受信する無線通信回路と、無線通信回路へ電力を供給する電源と、無線通信回路へ電力が供給されていない状態で無線信号の受信強度を測定する受信強度測定回路と、受信強度測定回路が測定した受信強度が閾値を超える場合に、電源から無線通信回路への電力供給をオンにする電源制御回路を備える通信装置が与えられる。
【発明の効果】
【０００８】
本件開示の装置又は方法によれば、通信状態が悪い期間中における通信装置の消費電力を低減することが可能となる。
【図面の簡単な説明】
【０００９】
【図１】第１実施例の通信装置のハードウエア構成図である。
【図２】図１の無線通信回路への電源供給をオフする動作の説明図である。
【図３】図１の無線通信回路への電源供給をオンする動作の説明図である。
【図４】第２実施例の通信装置のハードウエア構成図である。
【図５】第３実施例の通信装置のハードウエア構成図である。
【発明を実施するための形態】
【００１０】
＜１．第１実施例＞
＜１．１．通信装置のハードウエア構成＞
以下、添付する図面を参照して好ましい実施例について説明する。図１は、第１実施例の通信装置のハードウエア構成図である。図１に示すハードウエア構成は、通信装置を実現するハードウエア構成の例示の１つである。本明細書において以下に説明される動作を行うものであれば、他のどのようなハードウエア構成が採用されてもよい。図１においてスイッチ、アンテナ共用器、アナログデジタル変換器、フィールドプログラマブルゲートアレイ、デジタルアナログ変換器及びバンドパスフィルタを、それぞれ「ＳＷ」、「ＤＵＰ」、「ＡＤＣ」、「ＦＰＧＡ」、「ＤＡＣ」及び「ＢＰＦ」と表記する。ハードウエア構成の第２例を示す図４についても同様である。
【００１１】
通信装置１は、無線通信回路２と、監視回路３と、アンテナ４及び５を備える。また、通信装置１は、無線通信回路２へ電力を供給する第１バッテリー６と、第１バッテリー６から無線通信回路２への電力供給をＯＮ及びＯＦＦする第１スイッチ７を備える。また、通信装置１は、監視回路３へ電力を供給する第２バッテリー８と、第２バッテリー８から監視回路３への電力供給をＯＮ及びＯＦＦする第２スイッチ９を備える。
【００１２】
無線通信回路２は、アンテナ共用器１１と、第１無線信号受信回路１２と、アナログデジタル変換器１３と、ＦＰＧＡ（Field-Programmable Gate Array：フィールドプログラマブルゲートアレイ）１４を備える。また、無線通信回路２は、デジタルアナログ変換器１５と、無線信号送信回路１６と、マイク１７と、スピーカ１８と、コーデック回路１９と、入力デバイス２０と、表示デバイス２１と、メモリ２２を備える。
【００１３】
アンテナ４にて受信された無線信号は、アンテナ共用器１１にて帯域濾過された後に第１無線信号受信回路１２に入力される。第１無線信号受信回路１２は、無線周波数信号である受信信号を増幅した後に中間周波数信号へ変換する。アナログデジタル変換器１３は、中間周波数の受信信号をデジタル信号に変換してからＦＰＧＡ１４へ入力する。
【００１４】
ＦＰＧＡ１４は、無線通信回路２が無線通信で送受信する信号のベースバンド処理を行う。例えば、ＦＰＧＡ１４は、無線通信回路２が送受信する無線信号の変復調処理、符号化処理、復号化処理、プロトコル処理を実施する。通信装置１が移動通信システムで使用される移動局端末装置である場合には、ＦＰＧＡ１４はセルサーチ処理を実行する。例えば、Ｗ−ＣＤＭＡ（Wideband Code Division Multiple Access）形式の移動局端末装置の場合には、セルサーチ処理にフレームタイミングの検出と基地局装置のスクランブリングコードの同定が含まれる。ＬＴＥ（Long Term Evolution）形式の移動局端末装置の場合には、セルサーチ処理にフレームタイミングの検出とセルＩＤの同定が含まれる。
【００１５】
また、ＦＰＧＡ１４は、通信装置１が受信する受信信号のＲＳＳＩ（Received Signal Strength Indication：受信信号強度）を測定する。このため、ＦＰＧＡ１４は、第１ＲＳＳＩ測定回路３１を備える。第１ＲＳＳＩ測定回路３１は、アンテナ４により受信された受信信号のＲＳＳＩを測定する。第１ＲＳＳＩ測定回路３１は、ＲＳＳＩの測定値をメモリ２２に記憶する。
【００１６】
ＦＰＧＡ１４は、第１ＲＳＳＩ測定回路３１によるＲＳＳＩの測定結果を、表示デバイス２１上に表示する。また、ＦＰＧＡ１４は、第１ＲＳＳＩ測定回路３１によるＲＳＳＩの測定結果に基づいて無線通信のベースバンド処理に用いる受信品質等の指標を算出する。
【００１７】
また、ＦＰＧＡ１４は、受信信号の受信強度が急激に低下した場合に、第１スイッチ７を制御して第１バッテリー６から無線通信回路２への電源供給をＯＦＦする。このため、ＦＰＧＡ１４は、第１判定回路３２と、第１電源制御回路３３を備える。
【００１８】
第１判定回路３２は、ＲＳＳＩの測定値が急激に低下した後に測定値が上昇するか否かを判断する。第１判定回路３２は、例えば、所定の間隔で測定した複数のＲＳＳＩの低下が閾値を超える場合にＲＳＳＩが急激に低下したと判断する。
【００１９】
ＲＳＳＩの測定値が急激に低下したまま上昇しない場合には、送信装置、例えば基地局装置が停止したと考えられる。一方で、通信装置１がビル陰に移動した場合や他の送信装置からの電波の干渉によりＲＳＳＩが低下する場合にはＲＳＳＩは徐々に低減する。したがって、第１判定回路３２は、このような場合におけるＲＳＳＩの低下と、送信装置の停止の場合とを区別することができる。第１電源制御回路３３は、ＲＳＳＩの測定値が急激に低下したまま上昇しない場合に、第１スイッチ７を制御して第１バッテリー６から無線通信回路２への電源供給をＯＦＦする。
【００２０】
他の実施例の通信装置１は、ＦＰＧＡ１４に代えて又は加えて、ＦＰＧＡ１４による上述の処理を行うＤＳＰ（Digital Signal Processor：デジタル信号プロセッサ）と、ＤＳＰが実行するプログラムが格納されるメモリを備えていてよい。また、他の実施例の通信装置１は、ＦＰＧＡ１４に代えて又は加えて、ＦＰＧＡ１４による上述の処理を行うLSI（large scale integration）やASIC（Application Specific Integrated Circuit）等の論理回路を備えていてもよい。
【００２１】
デジタルアナログ変換器１５は、ＦＰＧＡ１４から出力されるデジタル形式の送信信号をアナログ信号に変換する。無線信号送信回路１６は、アナログ形式の送信信号を無線周波数信号に変換した後に増幅して出力する。無線信号送信回路１６から出力される送信信号は、アンテナ共用器１１及びアンテナ４を経由して通信装置１から送信される。
【００２２】
マイク１７はユーザによる通信装置１への音声入力を受け付ける。スピーカ１８は音声を出力する。コーデック回路１９は、マイク１７により検出されたアナログ音声信号をデジタル信号に変換してＦＰＧＡ１４へ入力する。また、コーデック回路１９は、ＦＰＧＡ１４から出力されるデジタル音声信号をアナログ信号に変換してスピーカ１８へ出力する。
【００２３】
入力デバイス２０と、表示デバイス２１は、通信装置１に対するユーザの入力操作を受け付けるためのユーザインタフェース装置である。入力デバイス２０は、例えば、電話番号を入力するためのテンキーや、カーソルキーや、特定の操作のための専用キーを備える。入力装置２０は、タッチパネルを備えていてもよい。表示デバイス２１は、通信装置１が送受信する情報や、入力デバイス20に対するユーザの操作内容を表示する。表示デバイス２１は、例えば液晶表示デバイスや、有機発光ダイオードや、電界放出ディスプレイであってよい。
【００２４】
監視回路３は、通信装置１の受信信号強度を監視し、受信信号強度が閾値を超える場合に第１バッテリー６から無線通信回路２への電源供給をＯＦＦからＯＮにする。この結果、ＲＳＳＩの低下により停止された無線通信回路２への電源供給が再開される。監視回路３は、バンドパスフィルタ４１と、第２無線信号受信回路４２と、第２ＲＳＳＩ測定回路４３と、第２判定回路４４と、第２電源制御回路４５を備える。
【００２５】
アンテナ５にて受信された無線信号は、バンドパスフィルタ４１にて帯域濾過された後に第２無線信号受信回路４２に入力される。第２無線信号受信回路４２は、無線周波数信号である受信信号を増幅した後に中間周波数信号へ変換する。第２無線信号受信回路４２から出力される中間周波数の受信信号は、第２ＲＳＳＩ測定回路４３に入力される。
【００２６】
第２ＲＳＳＩ測定回路４３は、アンテナ５により受信された受信信号のＲＳＳＩを測定する。第２判定回路４４は、第２ＲＳＳＩ測定回路４３が測定したＲＳＳＩが所定の閾値を超えるか否かを判定する。ＲＳＳＩが所定の閾値を超える場合に、第２電源制御回路４５は、第１バッテリー６から無線通信回路２への電源供給をＯＦＦからＯＮにする。
【００２７】
第２ＲＳＳＩ測定回路４３は、受信信号からその受信強度を示す電圧信号へ生成するアナログ変換回路を備える。このようなアナログ変換回路は、例えば中間周波数の受信信号のエンベロープ信号を生成する整流回路であってよい。第２判定回路４４は、例えば、第２ＲＳＳＩ測定回路４３が出力する電圧信号強度を所定の基準電圧と比較するアナログ比較器であってよい。第２電源制御回路４５は、例えば、第２判定回路４４の比較結果信号に応じた第１スイッチ７の駆動信号を生成する増幅回路であってよい。このような監視回路３は、無線通信回路２に比べて消費電力の低い回路とすることができる。
【００２８】
＜１．２．無線通信回路の電源制御動作＞
図２は、図１の無線通信回路２への電源供給をＯＦＦする動作の説明図である。なお、以下、図２を参照して説明する一連の動作は複数の手順を含む方法と解釈してよい。この場合に「オペレーション」を「ステップ」と読み替えてもよい。図３の場合も同様である。
【００２９】
オペレーションＡＡにおいて第１ＲＳＳＩ測定回路３１は、アンテナ４により受信された受信信号のＲＳＳＩを測定する。オペレーションＡＢにおいて第１ＲＳＳＩ測定回路３１は、オペレーションＡＡによる測定値Ｒ１をメモリ２２に記憶する。オペレーションＡＣにおいて第１ＲＳＳＩ測定回路３１は、アンテナ４により受信された受信信号のＲＳＳＩを測定する。オペレーションＡＤにおいて第１ＲＳＳＩ測定回路３１は、オペレーションＡＣによる測定値Ｒ２をメモリ２２に記憶する。
【００３０】
オペレーションＡＥにおいて第１判定回路３２は、ＲＳＳＩの測定値Ｒ２が測定値Ｒ１から急激に低下したか否かを判断する。測定値Ｒ２が測定値Ｒ１から急激に低下した場合（オペレーションＡＥ：Ｙ）に処理はオペレーションＡＦへ進む。測定値Ｒ２が測定値Ｒ１から急激に低下しない場合（オペレーションＡＥ：Ｎ）に処理はオペレーションＡＡに戻る。
【００３１】
その後、ある一定時間経過した後のオペレーションＡＦにおいて、第１ＲＳＳＩ測定回路３１は、アンテナ４により受信された受信信号のＲＳＳＩを測定する。オペレーションＡＧにおいて第１ＲＳＳＩ測定回路３１は、オペレーションＡＦによる測定値Ｒ３をメモリ２２に記憶する。オペレーションＡＨにおいて第１判定回路３２は、ＲＳＳＩの測定値Ｒ３が測定値Ｒ２から変化して上昇したか否かを判断する。測定値Ｒ３が測定値Ｒ２から変化した場合（オペレーションＡＨ：Ｙ）に処理はオペレーションＡＡへ戻る。
【００３２】
測定値Ｒ３が測定値Ｒ２から変化しない場合（オペレーションＡＨ：Ｎ）、すなわちＲＳＳＩの測定値が低下したまま上昇しない場合に処理はオペレーションＡＩへ進む。オペレーションＡＩにおいて第１電源制御回路３３は、第１スイッチ７を制御して第１バッテリー６から無線通信回路２への電源供給をＯＦＦする。その後処理は終了する。
【００３３】
なお、他の実施例では、オペレーションＡＨにおいて第１判定回路３２が、ＲＳＳＩの測定値Ｒ３と測定値Ｒ１の差がある範囲内にあるか否かを判定してもよい。そして、測定値Ｒ３と測定値Ｒ１の差がある範囲内にない場合に、第１電源制御回路３３は、無線通信回路２への電源供給をＯＦＦしてもよい。
【００３４】
図３は、図１の無線通信回路２への電源供給をＯＮする動作の説明図である。例えば、通信装置１が移動局装置である場合に、基地局装置が復旧したときや通信装置1が他の基地局装置のセル内に移動したときに、本動作によって無線通信回路２への電源供給をＯＮにする。オペレーションＢＡにおいて第２ＲＳＳＩ測定回路４３は、アンテナ５により受信された受信信号のＲＳＳＩを測定する。オペレーションＢＢにおいて第２判定回路４４は、オペレーションＢＡによる測定値が所定の閾値を超えるか否かを判定する。
【００３５】
測定値が所定の閾値を超える場合（オペレーションＢＢ：Ｙ）に処理はオペレーションＢＣへ進む。測定値が所定の閾値を超えない場合（オペレーションＢＢ：Ｎ）に処理はオペレーションＢＡへ戻る。オペレーションＢＣにおいて第２電源制御回路４５は、第１バッテリー６から無線通信回路２への電源供給をＯＦＦからＯＮにする。
【００３６】
＜１．３．効果＞
本実施例によれば、受信信号強度が小さく通信状態が悪い期間に、受信信号強度を監視する監視回路３を残して他の部分の回路への電源供給をＯＦＦすることができる。上述の通り監視回路３を、通信装置１の他の部分の回路に比べ消費電力が低い回路とすることができるため、通信装置１の消費電力を低減することができる。そして、通信状態が回復した時に直ちに通信装置１内の電源供給を再開し、通信装置１を使用可能な状態にすることができる。
【００３７】
例えば、移動局装置の場合には、通信状態が悪い期間中に繰り返すセルサーチ処理による電力消費を防ぐことができる。また例えば、無線信号の送信アンプの待機電力による電力消費を防ぐことができる。
【００３８】
また、本実施例では、通信状態が悪い期間に駆動させる監視回路３を、送受信信号のベースバンド処理を行うＦＰＧＡ１４とは別の回路とする。これにより、ＦＰＧＡ１４への電力供給と監視回路３への電力供給を別系統にすることが容易になり、監視回路３をＯＮにしたままＦＰＧＡ１４をＯＦＦにする回路構成が簡易になる。
【００３９】
なお、第２電源制御回路４５は、第１バッテリー６から無線通信回路２への電源供給をＯＮする際に、第２スイッチ９を制御して第２バッテリー８から監視回路３への電源供給をＯＦＦしてよい。そして、第１電源制御回路３３は、第１バッテリー６から無線通信回路２への電源供給をＯＦＦする際に、第２スイッチ９を制御して第２バッテリー８から監視回路３への電源供給をＯＮしてよい。このように無線通信回路２への電源供給がＯＮの期間に、監視回路３への電源供給をＯＦＦすることで、通信装置１の消費電力をさらに低減することができる。
【００４０】
＜２．第２実施例＞
図４は、第２実施例の通信装置１のハードウエア構成図である。図１に示す構成要素と同一の構成要素については同一の参照符号を付する。本実施例の通信装置１は、無線通信回路２及び監視回路３が、アンテナ４及びアンテナ共用器１１を共用する。このため、監視回路３専用のアンテナ及びバンドパスフィルタが不要になり、回路を小型化することができる。
【００４１】
また本実施例によれば、受信信号強度に基づき監視回路３が無線通信回路２の電源ＯＮの可否を判断する際に、無線通信回路２の使用アンテナ４で受信した信号を基準にする。このため、監視回路３のアンテナと無線通信回路２のアンテナとを別個に設けた場合に生じるアンテナ感度の相違に起因する感度調整が不要になる。
【００４２】
また他の実施例では、第２ＲＳＳＩ測定回路４３により測定されたＲＳＳＩが急激に低下した場合に、第２電源制御回路４５が第１スイッチ７を制御して第１バッテリー６から無線通信回路２への電源供給をＯＦＦしてもよい。この場合に、第１判定回路３２及び第１電源制御回路を省略してもよい。更に他の実施例では、無線通信回路２及び監視回路３が同じバッテリーを共用してもよい。
【００４３】
＜３．第３実施例＞
図５は、第３実施例の通信装置１のハードウエア構成図である。図１に示す構成要素と同一の構成要素については同一の参照符号を付する。本実施例の通信装置１は、移動体通信システムにおける移動局装置であり、受信信号の受信強度が急激に低下した場合にランダムアクセスを停止する。ＦＰＧＡ１４は、ＲＡＣＨ（Random Access Channel）制御回路３４を備える。
【００４４】
ＲＡＣＨ制御回路３４は、ＲＳＳＩの測定値が急激に低下したまま上昇しない場合に、通信装置１による基地局装置へのランダムアクセスを停止する。ランダムアクセス停止中に第１判定回路３２は、第１ＲＳＳＩ測定回路３１が測定したＲＳＳＩが所定の閾値を超えるか否かを判定する。ＲＳＳＩが所定の閾値を超える場合に、ＲＡＣＨ制御回路３４は、通信装置１による基地局装置へのランダムアクセスを再開する。
【００４５】
本実施例によれば、受信信号強度が小さく通信状態が悪い期間に、通信装置１による基地局装置へのランダムアクセスを停止することができる。このため、通信状態が悪い期間に、ランダムアクセスプリアンブルの送信により通信装置１が電力を消費することを防ぐことができる。例えば、基地局装置が停止中にランダムアクセスプリアンブルを送信することにより、通信装置１が無駄に電力を消費することを防ぐことができる。
【００４６】
＜４．他の実施例＞
通信装置１が、移動通信システムにおける移動局装置である場合に、基地局装置は基地局装置が動作中であることを示す制御信号を送信する。例えば基地局装置は、このような制御信号を報知情報に含めてもよく、基地局装置は基地局装置が動作中であることを示すビーコンを送信してもよい。
【００４７】
第１判定回路３２及び第２判定回路４４は、この制御信号に従って基地局装置が動作中であるか否かを判定してよい。第１電源制御回路３３及び第２電源制御回路４５は、基地局装置が動作中である場合に第１バッテリー６から無線通信回路２への電源供給をＯＮにし、基地局装置が動作中でない場合に第１バッテリー６から無線通信回路２への電源供給をＯＦＦにする。
【００４８】
また基地局装置は、その電源状態を示す制御信号を送信してもよい。例えば制御信号は、基地局装置の内蔵バッテリーの残量が所定の許容値を下回ることを通信装置１に通知する。第１判定回路３２はこの通知に従って基地局装置の内蔵バッテリーの残量が所定の許容値を下回るか否かを判定する。第１電源制御回路３３は、基地局装置の内蔵バッテリーの残量が所定の許容値を下回る場合に第１バッテリー６から無線通信回路２への電源供給をＯＦＦにする。
【００４９】
以上の実施例を含む実施形態に関し、更に以下の付記を開示する。
（付記１）
無線信号を送受信する無線通信回路と、
前記無線通信回路へ電力を供給する電源と、
前記無線通信回路へ電力が供給されていない状態で無線信号の受信強度を測定する受信強度測定回路と、
前記受信強度測定回路が測定した受信強度が閾値を超える場合に、前記電源から前記無線通信回路への電力供給をオンにする電源制御回路と、
を備えることを特徴とする通信装置。
（付記２）
前記受信強度測定回路は、前記無線通信回路よりも消費電力が少ない回路であることを特徴とする付記１に記載の通信装置。
（付記３）
前記無線通信回路は、送受信信号のベースバンド処理を行うデジタル論理回路を備え、
前記受信強度測定回路は、受信信号からその受信強度を示す電圧信号へ生成するアナログ変換回路を備えることを特徴とする付記２に記載の通信装置。
（付記４）
前記無線通信回路は、受信強度を測定する第1受信強度測定回路と、
第1受信強度測定回路が測定した受信強度が急激に低下した場合に、前記電源から前記無線通信回路への電力供給をオフにする第２電源制御回路と、
を備えることを特徴とする付記１〜３のいずれか一項に記載の通信装置。
（付記５）
前記第1電源制御回路は、前記無線通信回路への電力供給をオフにする場合に、前記受信強度測定回路への電力供給をオフからオンにすることを特徴とする付記４に記載の通信装置。
（付記６）
前記受信強度測定回路は、無線通信回路が無線周波数信号を送受信するためのアンテナ及びアンテナ共用器を介して無線信号を受信する付記１〜５のいずれか一項に記載の通信装置。
【符号の説明】
【００５０】
１    通信装置
２    無線通信回路
３    監視回路
６    第１バッテリー
７    第１スイッチ
３１    第１ＲＳＳＩ測定回路
３２    第１判定回路
３３    第１電源制御回路
４３    第２ＲＳＳＩ測定回路
４４    第２判定回路
４５    第２電源制御回路
【図１】
2013197865.tif 000003
【図２】
2013197865.tif 000004
【図３】
2013197865.tif 000005
【図４】
2013197865.tif 000006
【図５】
2013197865.tif 000007